(57)【要約】【課題】冷却側の商品収納庫で吸収した熱によって加熱側の商品収納庫を加熱する構成においても、商品を確実に冷却及び加熱することのできる自動販売機を提供する。【解決手段】圧縮機４１の吐出冷媒の少なくとも一部を熱源側熱交換器４２に流通させることにより、熱源側熱交換器４２が凝縮器として作用し、冷却側の商品収納庫内に必要な冷却能力が熱源側熱交換器４２により補われる。また、加熱側の庫内側熱交換器から流出した冷媒の少なくとも一部を膨張手段及び熱源側熱交換器４２を介して圧縮機４１に流入させることにより、熱源側熱交換器４２が蒸発器として作用し、加熱側の商品収納庫内に必要な加熱能力が熱源側熱交換器４２により補われる。従って、加熱側の商品収納庫にヒータ４４を用いることなく、十分な加熱能力を得ることができ、消費電力を大幅に低減することができる。【選択図】図４
2005107764.tif 000002
【特許請求の範囲】
【請求項１】
自動販売機本体内に設けられた複数の商品収納庫と、各商品収納庫内にそれぞれ設けられた庫内側熱交換器と、各庫内側熱交換器を接続する冷媒回路と、冷媒回路の冷媒を循環させる圧縮機とを備え、圧縮機から吐出した冷媒を加熱側の商品収納庫の庫内側熱交換器に流通させることにより加熱側の商品収納庫内を加熱し、加熱側の庫内側熱交換器から流出する冷媒を膨張手段を介して冷却側の商品収納庫の庫内側熱交換器に流通させることにより、冷却側の商品収納庫内を冷却するようにした自動販売機において、
前記冷媒回路に接続された熱源側熱交換器を備えるとともに、
圧縮機から吐出した冷媒の少なくとも一部を熱源側熱交換器及び膨張手段を介して冷却側の庫内側熱交換器に流通させる流路と、加熱側の庫内側熱交換器から流出した冷媒の少なくとも一部を熱源側熱交換器を介して圧縮機に流入させる流路とを切換可能な切換手段を備えた
ことを特徴とする自動販売機。
【請求項２】
前記加熱側の庫内側熱交換器及び冷却側の庫内側熱交換器への冷媒流路をそれぞれ開閉する開閉弁と、
加熱側の庫内側熱交換器への流路を開閉弁によって閉じると、圧縮機から吐出する冷媒を熱源側熱交換器に流通させ、冷却側の庫内側熱交換器への流路を開閉弁によって閉じると、加熱側の庫内側熱交換器から流出する冷媒を熱源側熱交換器に流通させるように切換手段を制御する制御手段とを備えた
ことを特徴とする請求項１記載の自動販売機。
【請求項３】
前記熱源側熱交換器側の冷媒を加熱するヒータを備えた
ことを特徴とする請求項１または２記載の自動販売機。
【発明の詳細な説明】
【技術分野】
【０００１】
本発明は、ビン、缶またはペットボトル入り飲料等を冷却または加熱して販売する自動販売機に関するものである。
【背景技術】
【０００２】
従来、この種の自動販売機としては、前面を開口した自動販売機本体と、自動販売機本体の前面を開閉する外扉と、自動販売機本体内に仕切板によって区画された複数の商品収納庫と、各商品収納庫内にそれぞれ設けられた庫内側熱交換器と、自動販売機本体の下部に設けられ、商品収納庫内の各熱交換器と冷媒用の配管によって接続された圧縮機及び熱源側熱交換器と、商品収納庫内に設けられた電気ヒータとを備え、商品収納庫内に収納された商品を冷凍サイクルによって冷却し、または電気ヒータによって加熱するようにしたものが知られている。しかしながら、商品の加熱に電気ヒータを用いる場合は冷凍サイクルと別の電力が必要となり消費電力が増大するという欠点がある。
【０００３】
そこで、一部の商品収納庫を冷却用として、それ以外の商品収納庫を加熱用とする場合に、冷却用の商品収納庫の熱交換器を蒸発器、加熱用の商品収納庫の熱交換器を凝縮器として運転することにより、商品を冷却及び加熱するようにしたものが知られている（例えば、特許文献１参照）。
【特許文献１】特開２００１−８４４４７号公報
【発明の開示】
【発明が解決しようとする課題】
【０００４】
しかしながら、前記自動販売機では、冷却側の商品収納庫が設定温度に達して圧縮機が停止すると、加熱側の庫内側熱交換器に冷媒が流通しなくなり、加熱側の商品収納庫の加熱を行うことができなくなる。このため、加熱を継続させるための補助の電気ヒータが必要となり、消費電力の低減を十分に図ることができないという問題点があった。
【０００５】
本発明は前記問題点に鑑みてなされたものであり、その目的とするところは、冷却側の商品収納庫で吸収した熱によって加熱側の商品収納庫を加熱する構成においても、商品を確実に冷却及び加熱することのできる自動販売機を提供することにある。
【課題を解決するための手段】
【０００６】
本発明は前記目的を達成するために、請求項１では、自動販売機本体内に設けられた複数の商品収納庫と、各商品収納庫内にそれぞれ設けられた庫内側熱交換器と、各庫内側熱交換器を接続する冷媒回路と、冷媒回路の冷媒を循環させる圧縮機とを備え、圧縮機から吐出した冷媒を加熱側の商品収納庫の庫内側熱交換器に流通させることにより加熱側の商品収納庫内を加熱し、加熱側の庫内側熱交換器から流出する冷媒を膨張手段を介して冷却側の商品収納庫の庫内側熱交換器に流通させることにより、冷却側の商品収納庫内を冷却するようにした自動販売機において、前記冷媒回路に接続された熱源側熱交換器を備えるとともに、圧縮機から吐出した冷媒の少なくとも一部を熱源側熱交換器及び膨張手段を介して冷却側の庫内側熱交換器に流通させる流路と、加熱側の庫内側熱交換器から流出した冷媒の少なくとも一部を熱源側熱交換器を介して圧縮機に流入させる流路とを切換可能な切換手段を備えている。これにより、切換手段によって圧縮機の吐出冷媒の少なくとも一部を熱源側熱交換器に流通させることにより、熱源側熱交換器が凝縮器として作用することから、冷却側の商品収納庫内に必要な冷却能力を熱源側熱交換器により補うことが可能となる。また、切換手段によって加熱側の庫内側熱交換器から流出した冷媒の少なくとも一部を膨張手段及び熱源側熱交換器を介して圧縮機に流入させることにより、熱源側熱交換器が蒸発器として作用することから、加熱側の商品収納庫内に必要な加熱能力を熱源側熱交換器により補うことが可能となる。
【０００７】
また、請求項２では、請求項１の自動販売機において、前記加熱側の庫内側熱交換器及び冷却側の庫内側熱交換器への冷媒流路をそれぞれ開閉する開閉弁と、加熱側の庫内側熱交換器への流路を開閉弁によって閉じると、圧縮機から吐出する冷媒を熱源側熱交換器に流通させ、冷却側の庫内側熱交換器への流路を開閉弁によって閉じると、加熱側の庫内側熱交換器から流出する冷媒を熱源側熱交換器に流通させるように切換手段を制御する制御手段とを備えている。これにより、請求項１の作用に加え、加熱側または冷却側の商品収納庫の何れか一方が設定温度に達して、庫内側熱交換器への流路が閉じた場合でも、熱源側熱交換器が凝縮器または蒸発器として用いられることから、熱源側熱交換器によって他方の商品収納庫の加熱または冷却が行われる。
【０００８】
また、請求項３では、請求項１または２の自動販売機において、前記熱源側熱交換器側の冷媒を加熱するヒータを備えている。これにより、請求項１または２の作用に加え、ヒータにより熱源側熱交換器側の冷媒が加熱されることから、熱源側熱交換器が蒸発器として運転するときに、熱交換される外部空気が低温な場合には、ヒータにより不足した熱量が得られ、加熱側の庫内を加熱することができる。
【発明の効果】
【０００９】
請求項１の自動販売機によれば、切換手段によって圧縮機の吐出冷媒の少なくとも一部を熱源側熱交換器に流通させることにより、熱源側熱交換器が凝縮器として作用することから、冷却側の商品収納庫内に必要な冷却能力を熱源側熱交換器により補うことでき、また、切換手段によって加熱側の庫内側熱交換器から流出した冷媒の少なくとも一部を膨張手段及び熱源側熱交換器を介して圧縮機に流入させることにより、熱源側熱交換器が蒸発器として作用することから、加熱側の商品収納庫内に必要な加熱能力を熱源側熱交換器により補うことができるので、商品収納庫の加熱に電気ヒータを用いることなく、十分な加熱能力を得ることができ、消費電力を大幅に低減することができる。
【００１０】
また、請求項２では、請求項１の効果に加え、加熱側または冷却側の商品収納庫の何れか一方が設定温度に達して、庫内側熱交換器への流路が閉じた場合でも、熱源側熱交換器によって他方の商品収納庫の加熱または冷却を行うことができるので、各商品収納庫を常に適正な温度に冷却または加熱することができる。
【００１１】
また、請求項３では、請求項１または２の効果に加え、熱源側熱交換器が蒸発器として運転するときに、冷媒と熱交換される外部空気が低温な場合には、ヒータにより温めて熱交換させることができるので、加熱能力を補うことができる。
【発明を実施するための最良の形態】
【００１２】
図１乃至図８は本発明の一実施形態を示すもので、図１は自動販売機の斜視図、図２はその正面断面図、図３はその側面断面図、図４は自動販売機の冷媒回路図、図５は制御系を示すブロック図、図６乃至図８は冷媒の流路を示す冷媒回路図である。
【００１３】
この自動販売機は、前面を開口した自動販売機本体１０と、自動販売機本体１０の前面を開閉する外扉２０と、自動販売機本体１０内に設けられた商品収納部３０と、自動販売機本体１０内の下部に設けられた機械室４０と、商品収納庫３０及び機械室４０内に設けられた冷媒回路５０と、制御部６０から構成されている。
【００１４】
自動販売機本体１０は断熱箱体からなり、その内部には商品収納部３０の前面を開閉する断熱構造の内扉１１が設けられている。
【００１５】
外扉２０は前面に商品サンプル２１、商品選択スイッチ２２、硬貨投入口２３、紙幣投入口２４、硬貨返却口２５及び商品取出口２６を備え、その幅方向一端側を自動販売機本体１０に回動自在に支持されている。
【００１６】
商品収納部３０は断熱構造の仕切板によって第１〜第３の商品収納庫３０ａ，３０ｂ，３０ｃに区画され、第１及び第２の商品収納庫は冷却または加熱の切換が可能で、第３の商品収納庫は冷却専用になっている。各商品収納庫３０ａ，３０ｂ，３０ｃ内には冷媒回路５０によって接続された第１〜第３の庫内側熱交換器３１ａ，３１ｂ，３１ｃ及び第１〜第３の庫内側送風機３２ａ，３２ｂ，３２ｃが配置されている。
【００１７】
機械室４０は、冷凍回路５０によって接続された圧縮機４１、熱源側熱交換器４２、熱源側送風機４３及び補助のヒータ４４が配置されている。
【００１８】
冷媒回路５０は、第１〜第３の庫内側熱交換器３１ａ，３１ｂ，３１ｃ、圧縮機４１、熱源側熱交換器４２、第１〜第１０の電磁弁５１ａ，５１ｂ，５１ｃ，５１ｄ，５１ｅ，５１ｆ，５１ｇ，５１ｈ，５１ｉ，５１ｊ、第１〜第４の膨張弁５２ａ，５２ｂ，５２ｃ、５２ｄ及び第１〜第８の逆止弁５３ａ，５３ｂ，５３ｃ，５３ｄ，５３ｅ，５３ｆ，５３ｇ，５３ｈを備え、これらは冷媒配管により接続されている。即ち、図４に示すように、圧縮機４１の吐出側と熱源側熱交換器４２の一端側は第１の電磁弁５１ａを介して接続されている。熱源側熱交換器４２の他端側は第１の逆止弁５３ａの一端側に接続され、第１の逆止弁５３ａの他端側と第１〜第３の庫内側熱交換器３１ａ〜３１ｃそれぞれの一端側が並列に接続されている。このとき、第１の逆止弁５３ａは流れ方向を第１〜第３の庫内側熱交換器３１ａ〜３１ｃ向けて設けられている。第１の逆止弁５３ａの他端側と第１の庫内側熱交換器３１ａの一端側との間には第２の電磁弁５１ｂが設けられ、第２の電磁弁５１ｂの第１の庫内側熱交換器３１ａ側に第１の膨張弁５２ａが設けられている。第１の膨張弁５２ａの第１の庫内側熱交換器３１ａ側に第２の逆止弁５３ｂが流れ方向を第１の庫内側熱交換器側３１ａに向けて設けられている。直列に接続された第２の電磁弁５１ｂ、第１の膨張弁５２ａ及び第２の逆止弁５３ｂの両端を配管により接続し、その間に第３の逆止弁５３ｃが流れ方向を第２の逆止弁５３ｂの反対に向けて設けられている。第１の逆止弁５３ａの他端側と第２の庫内側熱交換器３１ｂの一端側との間には第３の電磁弁５１ｃが設けられ、第３の電磁弁５１ｃの第２の庫内側熱交換器３１ｂ側に第２の膨張弁５２ｂが設けられている。第２の膨張弁５２ｂの第２の庫内側熱交換器３１ｂ側に第４の逆止弁５３ｄが流れ方向を第２の庫内側熱交換器３１ｂ側に向けて設けられている。直列に接続された第３の電磁弁５１ｃ、第２の膨張弁５２ｂ及び第４の逆止弁５３ｄの両端を配管により接続し、その間に第５の逆止弁５３ｅが流れ方向を第４の逆止弁５３ｄの反対に向けて設けられている。第１の逆止弁５３ａの他端側と第３の庫内側熱交換器３１ｃの一端側との間には第４の電磁弁５１ｄが設けられ、第４の電磁弁５１ｄの第３の庫内側熱交換器側３１ｃに第３の膨張弁５２ｃが設けられている。第１〜第３の庫内側熱交換器３１ａ〜３１ｃそれぞれの他端側と圧縮機４１の吸入側が並列に接続され、第１の庫内側熱交換器３１ａの他端側と圧縮機４１の吸入側との間には第５の電磁弁５１ｅが設けられている。また、第２の庫内側熱交換器３１ｂの他端側と圧縮機４１の吸入側との間には第６の電磁弁５１ｆが設けられている。第１の庫内側熱交換器３１ａの他端側と第５の電磁弁５１ｅの間と、圧縮機４１の吐出側と第１の電磁弁５１ａの間とを配管により接続されている。その間に第６の逆止弁５３ｆが流れ方向を第１の庫内側熱交換器３１ａ側に向けて設けられ、第６の逆止弁５３ｆの第１の庫内側熱交換器３１ａ側に第７の電磁弁５１ｇが設けられている。第２の庫内側熱交換器３１ｂの他端側と第６の電磁弁５１ｆの間と、圧縮機４１の吐出側と第１の電磁弁５１ａの間とを配管により接続されている。その間に第７の逆止弁５３ｇが流れ方向を第２の庫内側熱交換器３１ｂ側に向けて設けられ、第７の逆止弁５３ｇの第２の庫内側熱交換器３１ｂ側に第８の電磁弁５１ｈが設けられている。第１の逆止弁５３ａの両端側を配管により接続し、その間に第９の電磁弁５１ｉが設けられている。また、第９の電磁弁５１ｉの熱源側熱交換器４２側に第４の膨張弁５２ｄが設けられ、第４の膨張弁の熱源側熱交換器４２側に第８の逆止弁５３ｈが第１の逆止弁５３ａの逆向きに設けられている。第１の電磁弁５１ａと熱源側熱交換器４２の一端側の間と、圧縮機４１の吸入側とを配管により接続し、その間に第１０の電磁弁５１ｊが設けられている。
【００１９】
また、ここで使用される冷媒は、プロパンまたはイソブタン等の自然係冷媒が使用されている。
【００２０】
制御部６０はマイクロコンピュータからなり、第１〜第３の商品収納庫３０ａ，３０ｂ，３０ｃ内の温度を検出する第１〜第３の温度検出部６１ａ〜６１ｃ、第１及び２の商品収納庫３０ａ，３０ｂの冷却または加熱の切換を行う切換スイッチ６２、外部の温度を検出する外部温度検出部６３、圧縮機４１、第１〜第１０の電磁弁５１ａ〜５１ｊ、第１〜第３の庫内側送風機３２ａ〜３２ｃ、熱源側送風機４３及びヒータ４４が接続され、第１〜第３の温度検出部６１ａ〜６１ｃによって検出された検出温度に基づいて第１〜第３の商品収納庫３０ａ〜３０ｃ内の温度を制御するようになっている。
【００２１】
以上のように構成された自動販売機において、第１〜第３の商品収納庫３０ａ〜３０ｃを冷却用として運転する場合、制御部６０は第１〜第６の電磁弁５１ａ〜５１ｆを開放し、第７〜第１０の電磁弁５１ｇ〜５１ｊを閉鎖し、圧縮機４１、第１〜第３の庫内側送風機３２ａ〜３２ｃ及び熱源側送風機４３を運転する。これにより、図６に示すように、圧縮機４１から吐出された冷媒を、熱源側熱交換器４２に流通させた後、第１〜第３の庫内側熱交換器３１ａ〜３１ｃに第１〜第３の膨張弁５２ａ〜５２ｃを介して流通させ、圧縮機４１に吸入させる。このような冷媒回路によって第１〜第３の商品収納庫３０ａ〜３０ｃが冷却されるようになっている。ここで、例えば第１の商品収納庫３０ａの庫内温度が設定温度に達した場合には、第２の電磁弁５１ｂを閉鎖することによって第１の庫内側熱交換器３１ａへの流路が閉じ、第１の庫内側送風機３２ａを停止する。これにより、圧縮機４１から吐出された冷媒を、熱源側熱交換器４２に流通させた後、第２及び第３の庫内側熱交換器３１ｂ，３１ｃに第２及び第３の膨張弁５２ｂ，５２ｃを介して流通し、圧縮機４１に吸入させ、第１の商品収納庫３０ａの冷却を行わないようにしている。第２及び第３の商品収納庫３０ｂ，３０ｃについてもそれぞれ同様に、第３及び第４の電磁弁５１ｃ，５１ｄを閉鎖し、第２及び第３の庫内側送風機３２ｂ，３２ｃを停止するようにして第２及び第３の商品収納庫３０ｂ，３０ｃの冷却を行わないようにしている。また、第１〜第３の商品収納庫３０ａ〜３０ｃが設定温度に達した場合には、第２〜第４の電磁弁５１ｂ〜５１ｄを閉鎖し、第１〜第３の庫内側送風機３２ａ〜３２ｃ、圧縮機４１及び熱源側送風機４３を停止するようになっている。
【００２２】
また、第１の商品収納庫３０ａを加熱用、第２及び第３の商品収納庫３０ｂ，３０ｃを冷却用として運転する場合、制御部６０は第３の電磁弁５１ｃ、第４の電磁弁５１ｄ、第６及び第７の電磁弁５１ｆ，５１ｇ及び第１０の電磁弁５１ｊを開放し、第１の電磁弁５１ａ、第２の電磁弁５１ｂ、第５の電磁弁５１ｅ、第８の電磁弁５１ｈ及び第９の電磁弁５１ｉを閉鎖し、圧縮機４１、第１〜第３の庫内側送風機３２ａ〜３２ｃを運転する。これにより、図７に示すように、圧縮機４１から吐出された冷媒を、第１の庫内側熱交換器３１ａに流通させた後、第２及び第３の庫内側熱交換器３１ｂ，３１ｃに第２及び第３の膨張弁５２ｂ，５２ｃを介して流通させ、圧縮機４１に吸入させる。ここで、例えば第２の商品収納庫３０ｂの庫内温度が設定温度に達し、第１及び第３の商品収納庫３０ａ，３０ｃの庫内温度が設定温度に達していない場合には、第３の電磁弁５１ｃを閉鎖し、第２の庫内側送風機３２ｂを停止することにより、冷媒を第１の庫内側熱交換器３１ａに流通させた後、第３の庫内側熱交換器３１ｃに第３の膨張弁５２ｃを介して流通させ、圧縮機４１に吸入させる。また、第２及び第３の商品収納庫３０ｂ，３０ｃの庫内温度が設定温度に達し、第１の商品収納庫３０ａの庫内温度が設定温度に達していない場合には、第３及び第４の電磁弁５１ｃ，５１ｄを閉鎖し、第９及び第１０の電磁弁５１ｉ，５１ｊを開放し、第２及び第３の庫内側送風機３２ｂ，３２ｃを停止することにより、冷媒を第１の庫内側熱交換器３１ａに流通させた後、熱源側熱交換器４２に第４の膨張弁５２ｄを介して流通させ、圧縮機４１に吸入させる。
【００２３】
また、第１及び第２の商品収納庫３０ａ，３０ｂを加熱用、第３の商品収納庫３０ｃを冷却用として運転する場合、制御部６０は第４の電磁弁５１ｄ、第７〜第１０の電磁弁５１ｇ〜５１ｊを開放し、第１〜第３の電磁弁５１ａ〜５１ｃ、第５及び第６の電磁弁５１ｅ，５１ｆを閉鎖し、圧縮機４１、第１〜第３の庫内側送風機３２ａ〜３２ｃ及び熱源側送風機４３を運転する。これにより、図８に示すように、圧縮機４１から吐出された冷媒は、第１及び第２の庫内側熱交換器３１ａ，３１ｂに流通させた後、第３の庫内側熱交換器３１ｃ及び熱源側熱交換器４２に第３及び第４の膨張弁５２ｃ，５２ｄを介して流通し、圧縮機４１に吸入させる。ここで、例えば第１の商品収納庫３０ａの庫内温度が設定温度に達し、第２及び第３の商品収納庫３０ｂ，３０ｃの庫内温度が設定温度に達していない場合には、第７の電磁弁５１ｇ、第９の電磁弁５１ｉを閉鎖し、第５の電磁弁５１ｅを開放し、第１の庫内側熱交換器３１ａ内の冷媒を圧縮機４１に戻し、第１の庫内側送風機３２ａ及び熱源側送風機４３を停止することにより、冷媒を第２の庫内側熱交換器３１ｂに流通させた後、第３の庫内側熱交換器３１ｃに第３の膨張弁５２ｃを介して流通させ、圧縮機４１に吸入させる。また、第１及び第２の商品収納庫３０ａ，３０ｂの庫内温度が設定温度に達し、第３の商品収納庫３０ｃの庫内温度が設定温度に達していない場合には、第１の電磁弁５１ａ、第５の電磁弁５１ｅ及び第６の電磁弁５１ｆを開放し、第７〜第１０の電磁弁５１ｇ〜５１ｊを閉鎖し、第１及び第２の庫内側送風機３２ａ，３２ｂを停止することにより、冷媒を熱源側熱交換器４２に流通させ、第３の庫内側熱交換器３１ｃに第３の膨張弁５２ｃを介して流通させ、圧縮機４１に吸入させる。
【００２４】
また、熱源側熱交換器４２を蒸発器として動作させる場合に、熱交換する外部空気が低温な場合は冷媒が吸熱し難いので、ヒータ４４によって熱源側熱交換器４２の冷媒をを加熱することにより冷媒に吸熱させるようにしている。
【００２５】
このように、本実施形態の自動販売機によれば、圧縮機４１から吐出した冷媒を加熱側の庫内側熱交換器に流通させることにより加熱側の商品収納庫を加熱し、加熱側熱交換器から流出する冷媒を膨張手段を介して冷却側の庫内側熱交換器に流通させることにより冷却側の商品収納庫を冷却する冷媒回路５０に圧縮機４１から吐出した冷媒を熱源側熱交換器４２及び膨張手段を介して冷却側の庫内側熱交換器に流通させる流路と、加熱側の庫内側熱交換器から流出した冷媒を熱源側熱交換器４２を介して圧縮機４１に流入させる流路とを切換えるようにしたので、圧縮機４１の吐出冷媒の少なくとも一部を熱源側熱交換器４２に流通させることにより、熱源側熱交換器４２が凝縮器として作用することから、冷却側の商品収納庫内に必要な冷却能力を熱源側熱交換器４２により補うことができ、また、加熱側の庫内側熱交換器から流出した冷媒の少なくとも一部を膨張手段及び熱源側熱交換器４２を介して圧縮機４１に流入させることにより、熱源側熱交換器４２が蒸発器として作用することから、加熱側の商品収納庫内に必要な加熱能力を熱源側熱交換器４２により補うことができ、加熱側の商品収納庫にヒータ４４を用いることなく、十分な加熱能力を得ることができ、消費電力を大幅に低減することができる。
【００２６】
また、加熱側の庫内側熱交換器への流路が閉じると、圧縮機４１から吐出する冷媒を熱源側熱交換器４２に流通させ、冷却側の庫内側熱交換器への流路が閉じると、加熱側から流出する冷媒を熱源側熱交換器４２に流通させるように冷媒回路５０を制御するようにしたので、加熱側または冷却側の商品収納庫のどちらか一方が設定温度に達して、庫内側熱交換器への流路が閉じた場合に、熱源側熱交換器４２によって他方の商品収納庫の加熱または冷却を行うことができ、各商品収納庫３０ａ〜３０ｃを常に適正な温度に保持することができる。
【００２７】
また、熱源側熱交換器４２側の冷媒を加熱する電気ヒータ４４を備えたので、熱源側熱交換器４２が蒸発器として運転するときに、熱交換される外部空気が低温な場合には、電気ヒータ４４により温めて熱交換させることができ、加熱能力を補うことができる。
【００２８】
尚、前記実施形態では、流路の切換を電磁弁及び逆止弁によって行うようにしたものを示したが、電磁弁を組合せて流路の切換を行ってもよい。
【図面の簡単な説明】
【００２９】
【図１】自動販売機の斜視図
【図２】自動販売機の正面断面図
【図３】自動販売機の側面断面図
【図４】自動販売機の冷媒回路図
【図５】制御系を示すブロック図
【図６】冷媒の流路を示す冷媒回路図
【図７】冷媒の流路を示す冷媒回路図
【図８】冷媒の流路を示す冷媒回路図
【符号の説明】
【００３０】
１０…自動販売機本体、３０ａ，３０ｂ，３０ｃ…商品収納庫、３１ａ，３１ｂ，３１ｃ…第１〜第３の庫内側熱交換器、４１…圧縮機、４２…熱源側熱交換器、４４…ヒータ、５０…冷媒回路、５１ａ〜５１ｊ…第１〜第１０の電磁弁、５２ａ〜５２ｄ…第１〜第４の膨張弁、６１ａ〜６１ｃ…第１〜第３の温度検出部。
【図１】
2005107764.tif 000003
【図２】
2005107764.tif 000004
【図３】
2005107764.tif 000005
【図４】
2005107764.tif 000006
【図５】
2005107764.tif 000007
【図６】
2005107764.tif 000008
【図７】
2005107764.tif 000009
【図８】
2005107764.tif 000010